(57)【要約】【課題】  非接触ＩＣタグとリーダライターとの通信可能距離へ双方を近接させる作業を省減させると同時に、通信の安全性を確保する。  また、車両使用状況の情報を広範囲かつ継続的に収集する方法、及び給油における決済を自動化する方法を提供する。【解決手段】  車両の給油口部分に非接触ＩＣタグを装着し、リーダライターを給油ノズル部分に組み込むことにより、給油する度に非接触ＩＣタグがリーダライターと近接し電磁波を受信することで発生された誘起電力に基づいて動作させることにより、車両所有者を識別して給油決済し、日時と給油量を書き込み、記憶された給油量データと時系列データとを統計解析することで更新する車両情報を継続的に収集する、等の作業を自動化する。【選択図】  図１
2005206231.tif 000002
【特許請求の範囲】
【請求項１】
非接触ＩＣタグのリーダライターと給油ノズルとを組合せたリーダライター機能給油ノズルであって、
車両の給油口部分に装着した非接触ＩＣタグが給油時に電磁波を受信し発生する誘起電力に基づいて動作する部位にリーダライターを組み込むことを特徴とする。
【請求項２】
非接触ＩＣタグを附着させたシールを給油口付近に装着し、リーダライターを組み込んだ給油ノズルによって給油時に情報伝達することで、ハウスカード等の機能を果たす非接触ＩＣタグシール。
【請求項３】
非接触ＩＣタグにより車両情報の収集を自動化する情報収集方法であって、
車両の給油口部分に通信可能距離の短い非接触ＩＣタグを装着し、給油ノズル部分にリーダライターを組み込み、
該リーダライターが該非接触ＩＣタグへ日時及び給油量を書き込む手段を設け、給油時において給油口に給油ノズルを挿入する際に該リーダライターが近接する該非接触ＩＣタグに日時及び給油量を書き込む工程と、
該リーダライターが読む該非接触ＩＣタグの情報を記憶する手段と、記憶された給油量データと時系列データとを統計解析する手段と、その統計解析された統計解析データを記憶する手段を設け、車両の使用状況に関する情報を蓄積する工程と、を具備することを特徴とする車両情報収集方法。
【請求項４】
非接触ＩＣタグにより給油の決済を自動化する決済方法であって、
車両の給油口部分に通信可能距離の短い非接触ＩＣタグを装着し、給油ノズル部分にリーダライターを組み込み、
該非接触ＩＣタグに予め車両の所有者を識別する所有者識別情報を記憶させ、給油時において給油口に給油ノズルを挿入する際に該リーダライターが近接する該非接触ＩＣタグ情報を読み該給油車両の所有者を特定するための所有者識別手段と、給油における給油料金を算出し該給油料金情報と該所有者情報とを与信センタへ通知する手段を設け、与信がとれた場合に給油と給油決済とを連動させることを特徴とする給油決済方法。
【発明の詳細な説明】
【技術分野】
【０００１】  本発明は、非接触ＩＣタグによる車両情報の処理及び給油の決算方法に関する。
【背景技術】
【０００２】  データ通信を無線によって行い、同時に複数枚のデータ処理が可能、などの特徴を有する非接触ＩＣタグ装置がある。【０００３】  また、従来、車両情報を入手する方法には車検時のデータを収集する方法があり、給油における決済方法には現金やクレジットカードによる決済方法がある。
【発明の開示】
【発明が解決しようとする課題】
【０００３】  非接触ＩＣタグとリーダライターとを通信可能距離へ近接させる作業を省減する。【０００４】  広範囲かつ継続的に収集した車両情報が存在しないと車両関連のマーケティング情報が算出できないが、人手による情報収集は収集頻度の増加に伴い煩雑となり信頼性が低下してしまう。【０００５】  給油の決済における当事者間の手間を省く。
【課題を解決するための手段】
【０００６】  車両の給油口部分に非接触ＩＣタグを装着し、給油ノズル部分にリーダライターを組み込むことにより、給油時に非接触ＩＣタグがリーダライターと近接し電磁波を受信することで発生された誘起電力に基づいて動作する情報処理作業によって、給油と併行して情報処理を行う。
【発明の効果】
【０００７】  給油と併行して動作することによって、手間を増やすことなく作業を増やすことができる。【０００８】  車の使用者が必然的かつ継続的に利用する給油所を拠点として、給油する度に、自動化された方法で情報を書き又は読み、あるいは書き換えることで、必然的かつ継続的に特定の車両の情報を取得することができる。【０００９】  情報収集頻度と信頼性の向上した情報の蓄積によって、有用なマーケティング情報を算出し、提供することができる。【００１０】  給油と連動した給油決済の自動化は、現金の受渡しやクレジットカード等の提示とカードリーダによるカード情報の入力といった当事者間の手間を省くと同時に、決済情報の蓄積をポイントシステム等に反映させることができる。【００１１】  通信可能距離を短く設定でき、給油時以外で非接触ＩＣタグの情報を読まれ、あるいは書き換えられること防ぐことができる。
【発明を実施するための最良の形態】
【００１２】  以下、本発明の実施形態について図面に基づいて説明する。
本発明の実施の形態は、例えば図１に示すように構成される。すなわち、給油ノズル１にリーダライター２を組み込んだリーダライター付き給油ノズル３と、シールに通信可能距離の短い非接触ＩＣタグを附着させた非接触ＩＣタグシール４を設け、給油時にリーダライター付き給油ノズル３が近接する給油口５の付近に非接触ＩＣタグシール４を装着する。【００１３】  例えば、会員カードを発行し給油毎にポイントを加算する現行のポイントシステムにおいて、会員を識別する情報を記憶させた非接触ＩＣタグシール４を予め会員の車両の給油口部分に装着することにより、会員カードを提示することなく会員の識別を行い、非接触ＩＣタグシール４が会員カードの機能を代行する。【００１４】  給油口部分に装着された非接触ＩＣタグシール４は、給油時にリーダライター付き給油ノズル３が近接することで会員識別情報を読み、会員の特定とポイント付加の工程を自動化することで会員と店員との会員カードの提示と認識という工程を省くのと同時に、これら作業は通常の給油作業と併行する為、手間を増やすことなく作業を増やす。【００１５】  また、給油時の給油料金を算出する給油料金算出手段７を設け、会員識別情報６と料金算出結果８とを与信センタ９へ通知する手段１０を設け、与信を行うことにより給油と連動して給油決済を行う。【００１６】  次に、リーダライターノズル３によって給油時に日時および給油量を非接触ＩＣタグへ書き込む為の書込み手段１１を設け、給油時に給油日時および給油量を非接触ＩＣタグへ書き込む。【００１７】  そして、リーダライターノズル３によって給油時に読む非接触ＩＣタグの情報を記憶する手段１２を設け、給油日時データと給油量データをそれぞれ給油日時データベース１３と給油量データベース１４へ逐次格納していくことにより、車両情報を収集する。【００１８】  更に、給油日時データベース１３から給油毎の時間の間隔を算出し給油量との関係を解析する手段１５を設け、解析結果を解析データベース１６へ逐次格納していくことにより、車両に関するマーケティング情報を蓄積する。
【図面の簡単な説明】
【００１９】
【図１】  本発明を適用した通信システムの構成例を示す図。
【図２】  同実施例に係る決済処理動作を示す図。
【図３】  同実施例に係る車両情報収集の処理動作を示す図。
【図４】  同実施例に係るマーケティング情報収集の処理を示す図
【符号の説明】
【００２０】１    給油ノズル
２    リーダライター
３    リーダライター付き給油ノズル
４    給油口
５    非接触ＩＣタグシール
６    会員識別情報
７    給油料金算出手段
８    料金算出結果
９    与信センタ
１０  与信センタへの通知手段
１１  給油日時と給油量とを書き込む手段
１２  非接触ＩＣタグから読んだ情報を記憶する手段
１３  給油した日時の情報を記憶するデータベース
１４  給油した給油量の情報を記憶するデータベース
１５  給油頻度と給油量との関係を解析する手段
１６  解析結果を記憶するデータベース
【図１】
2005206231.tif 000003
【図２】
2005206231.tif 000004
【図３】
2005206231.tif 000005
【図４】
2005206231.tif 000006